(57)【要約】【課題】            同一形態のブラケット本体を左右のベース部材に対し共通に使用可能にし、以ってブラケット本体の型コストと管理工数の低減を図り、サイドフィニッシャ組立の作業効率を大幅に改善可能にする。【解決手段】        上部垂直片２２と下部垂直片２４が段部２３を介して連続する屈曲形状のブラケット本体２１を設けて、上部垂直片２２には、サイドフィニッシャ１３の内側面に設けられたクリップ２８を係止保持する係止保持孔２５と、この係止保持孔２５を中心として上部垂直片２２の左右に対称的に延設され、サイドフィニッシャ１３の内側面に設けられた係止部材２５を係止保持する同一サイズおよび対象形状の係止突片２６、２７と、を設けた構成である。【選択図】          図１
2011000895.tif 000002
【特許請求の範囲】
【請求項１】
座席の左右両側に位置する各一のベース部材に取り付けられて、該ベース部材の外側にサイドフィニッシャを装着可能にするサイドフィニッシャの取付ブラケットであって、
上部垂直片と下部垂直片が段部を介し連続する屈曲形状の前記サイドフィニッシャ取り付けのためのブラケット本体を有し、
前記上部垂直片には、前記サイドフィニッシャの内面に設けられたクリップを係止保持する係止保持孔と、この係止保持孔を中心として前記上部垂直片の左右に対称形状に延設され、前記サイドフィニッシャ内側面に設けられた係止部材を係止保持する係止突片と、が設けられてなることを特徴とするサイドフィニッシャの取付ブラケット。
【発明の詳細な説明】
【技術分野】
【０００１】
本発明は、座席の左右両側に位置する各一のベース部材に取り付けられて、該ベース部材の外側に被覆されるサイドフィニッシャを装着可能にするサイドフィニッシャの取付ブラケットに関するものである。
【背景技術】
【０００２】
座席の左右両側に設置されるサイドフィニッシャの取付構造としては、図５に示すようなものが知られている（例えば特許文献１を参照。）。このサイドフィニッシャの取付構造は、座席の側部１にベース部材２を固設して、この固設したベース部材２をサイドフィニッシャ３で覆った構造である。
【０００３】
また、サイドフィニッシャ３の前端部３ａと後端部３ｂを、それぞれの外側から取付ねじ５，５によってベース部材２に固定している。サイドフィニッシャ３の外表面部には、取付ねじ５，５の頭部を嵌入させる凹部４，４ａが形成されている。
【０００４】
一方、このような従来のサイドフィニッシャの取付構造では、サイドフィニッシャ３の取り外しができるように、サイドフィニッシャ３の前端部３ａおよび後端部３ｂの外側に取付ねじ５が露出している。しかし、この取付ねじ５はサイドフィニッシャ３の取り付けや交換の作業を煩わしくするほか、サイドフィニッシャ３付近の見栄えが悪くするなどの不都合があった。
【０００５】
これに対して、取付ねじ５の露出数を少なくしたり、無くすことでサイドフィニッシャ３付近の外観を整えることができ、かつサイドフィニッシャ３の取り付けおよび取り外しの作業を容易化できるサイドフィニッシャの取付ブラケットが提案されている。
【０００６】
図６は、かかる従来のサイドフィニッシャの取付構造を構成するベース部材１１の一部を示す斜視図、図７は、このベース部材１１に取り付けられる取付ブラケット１２の拡大斜視図、図８は、この取付ブラケット１２を用いてベース部材に取り付けられるサイドフィニッシャ１３の斜視図である。
【０００７】
これらのうち、ベース部材１１は、後部のリクライニングシート側の支持アーム（図示しない）側に向けて円弧状に起立した形態をなし、その起立部に前記支持アームの回動軸を支持する軸取付孔１４が形成されている。このベース部材１１は、車両座席のシートクッションの骨組みを構成し、板金のプレス成形により作られている。
【０００８】
また、このベース部材１１は略左右対称形状をなし、相互がリアフレーム１５を介して連結されている。図示しないが、ベース部材１１の前部はフロントフレーム（図示しない）を介して連結されている。これらの各フレームは一対のベース部材１１間の間隔を一定に保持し、かつ補強している。
【０００９】
ベース部材１１の軸取付孔１４付近における外側面には、図７に示すようなブラケット本体１２が取り付けられている。このブラケット本体１２も板金のプレス成形によって作られ、上部垂直片１２ａと下部垂直片１２ｃが段部１２ｂを介し連続するように屈曲形成されている。
【００１０】
これらのうち、上部垂直片１２ａには略矩形で縦長の係止保持孔１６が設けられている。この上部垂直片１２ａの一側にはこれの高さよりも低い位置に、横長の係止突片１７が水平方向に突出されている。また、下部垂直片１２ｃには一対（２個）の取付孔１８が穿設されている。これらの取付孔１８にはボルト２０が通されて、ベース部材１１の外側面にねじ込まれる。従って、図６に示すように、ブラケット本体１２がベース部材１１の外側面に固着される。
【００１１】
前記サイドフィニッシャ１３は図８に示すように合成樹脂によりベース部材１１を被覆可能な形態に成形されている。このサイドフィニッシャ１３の後部内側面には、係合部材としてのクリップ（図示しない）および逆Ｌ字状部材（図示しない）が取り付けられている。クリップは、ブラケット本体１２の係止保持孔１６に圧入保持可能となっており、逆Ｌ字状部材は係止突片１７を係止保持するように機能する。
【００１２】
また、ベース部材１１にリアフレーム１５を介して連結されたもう一方のベース部材（図示しない）の外側面には、図９に示すようなブラケット本体１９が、ブラケット本体１２と同様の取り付け方法および構造にて取り付けられている。そして、このブラケット本体１９には、サイドフィニッシャ１３とは対称形の別のサイドフィニッシャ（図示しない）が前述同様に圧入保持操作によって装着される。なお、図９において図７と同様の構成部分には同一符号を付して、その重複する説明を省略する。
【先行技術文献】
【特許文献】
【００１３】
【特許文献１】実開平５−５５５３号公報
【発明の開示】
【発明が解決しようとする課題】
【００１４】
しかしながら、かかる従来のサイドフィニッシャの取付ブラケットにあっては、座席の左右のベース部材１１にボルト止めされるブラケット本体１２、１９のサイズが略同一であるにもかかわらず、形状が同一でなく対象形をなす。このため、これらのブラケット本体１２、１９を別々の金型にて成形する必要がある。従って、型コストが高くなり、管理工程数が増えるほか、誤組立による組立作業効率の悪化を招くという問題があった。
【００１５】
本発明は、かかる従来の問題点に着目してなされたものであり、同一形態のブラケット本体を左右のベース部材に対し共通に使用可能にし、以ってブラケット本体の型コストと管理工数の低減を図り、サイドフィニッシャ組立の作業効率を大幅に改善できるサイドフィニッシャの取付ブラケットを提供することを目的とする。
【課題を解決するための手段】
【００１６】
前述した目的を達成するために、本発明に係るサイドフィニッシャの取付ブラケットは、座席の左右両側に位置する各一のベース部材に取り付けられて、該ベース部材の外側にサイドフィニッシャを装着可能にするサイドフィニッシャの取付ブラケットであって、上部垂直片と下部垂直片が段部を介し連続する屈曲形状の前記サイドフィニッシャ取り付けのためのブラケット本体を有し、前記上部垂直片には、前記サイドフィニッシャの内側面に設けられたクリップを係止保持する係止保持孔と、この係止保持孔を中心として前記上部垂直片の左右に対称形状に延設され、前記サイドフィニッシャ内側面に設けられた係止部材を係止保持する係止突片と、が設けられてなることを特徴とする。
【００１７】
この構成により、ブラケット本体に設けられる係止突片が、上部垂直片の係止保持孔を中心として左右対称の形状をなすため、このブラケット本体を左右のベース部材のいずれにも装着して使用することができる。従って、ブラケット本体を左右別々に用意する必要がなくなり、型コストと管理工数の低減を図ることができるほか、サイドフィニッシャ組立の作業効率を大幅に改善できる。
【発明の効果】
【００１８】
本発明によれば、同一形態のブラケット本体を左右のベース部材に対し共通に使用可能にし、以ってブラケット本体の型コストと管理工数の低減を図り、また、誤組立を防止しサイドフィニッシャ組立の作業効率を大幅に改善できる。
【図面の簡単な説明】
【００１９】
【図１】本発明の実施形態によるサイドフィニッシャの取付ブラケット装着のためのベース部材を示す要部の斜視図である。
【図２】ブラケット本体の拡大斜視図である。
【図３】ベース部材に取り付けたブラケット本体に対するサイドフィニッシャの係合例を示す要部の断面図である。
【図４】ベース部材に取り付けたブラケット本体に対するサイドフィニッシャの別の係合例を示す要部の断面図である。
【図５】従来のサイドフィニッシャを有する座席を示す側面図である。
【図６】従来の取付ブラケット装着のためのベース部材を示す要部の斜視図である。
【図７】従来のブラケット本体の拡大斜視図である。
【図８】従来のブラケット本体に装着されるサイドフィニッシャの斜視図である。
【図９】従来のベース部材に取り付けられる別のブラケット本体を示す拡大斜視図である。
【発明を実施するための最良の形態】
【００２０】
以下、本発明の一実施の形態によるサイドフィニッシャの取付ブラケットを図１乃至図４を参照して説明する。
【００２１】
本実施形態のベース部材１１は、図５に示したものと略同一構成をなし、左右対称構成のものがリアフレーム１５を介して連結されている。このベース部材１１は図６に示したものと略同一形態をなし、軸取付孔１４を有する。しかし、このベース部材１１にボルト２０止めされるブラケット本体２１は、図７および図９に示したものとは形状が異なる。
【００２２】
このブラケット本体２１は板金のプレス成形によって作られ、図２に示すように上部垂直片と下部垂直片２４が段部２３を介し連続するように屈曲形成されている。これらのうち、上部垂直片２２には中央部に略矩形で縦長の係止保持孔２５が設けられている。
【００２３】
また、この上部垂直片２２の左右側縁にはこの上部垂直片２２の高さより低い位置に横長の係止突片２６、２７が水平方向に一体に連設されている。これらの係止突片２６、２７はサイズが同等であるが対象形状をなし、係止保持孔２５に対し左右に対称配置されている。
【００２４】
従って、ブラケット本体２１は、係止保持孔２５の中心を通る垂直面に対して
対称形状をなす。このため、このブラケット本体２１は、その係止突片２６、２７を正面に見て、左右反転しても同一形状であり、前記左右のベース部材１１に対して同一形態にてボルト止めすることができる。
【００２５】
つまり、一種類のブラケット本体２１を左右のベース部材のいずれにも取り付け可能である。従って、同一形態のブラケット本体２１を左右のベース部材に対し共通に使用可能となる。この結果、ブラケット本体２１の型コストと管理工数の低減を図ることができ、誤組立もなくなりサイドフィニッシャ１３の組立作業の効率を大幅に改善できる。
【００２６】
また、図１に示すように、各ベース部材１１に対してボルト２０止めされたブラケット本体２１に対してサイドフィニッシャ１３が、図３および図４に示すように装着される。図３は、そのブラケット本体２１の上部垂直片２２に対する取付構造を示す。
【００２７】
ここでは、ベース部材１１にボルト２０止めされたブラケット本体２１の係止保持孔２５内にサイドフィニッシャ１３内面のクリップ（アンカースプリング）２８を差し込むようにして圧入する。これにより、係止爪２８ａをクリップ２８自体の弾発力を利用して垂直起立片２２の内側（裏側）に、図３に示すように、係止させることができる。従って、サイドフィニッシャ１３はブラケット本体２１を介してベース部材１１に保持される。
【００２８】
一方、前記クリップ２８を係止保持孔２５に係止させる操作の直前にまたは同時に、サイドフィニッシャ１３内面の係止部材である逆Ｌ字状部材２９を、図４に示すように、上部垂直片２２の係止突片２６、２７にこれの上から係止させる。従って、サイドフィニッシャ１３はブラケット本体２１を介してベース部材１１に保持される。この結果、これらの各係止動作によって、サイドフィニッシャ１３をベース部材１１の側面および周辺を覆うように、このベース部材１１に対してねじなどの締結具を用いずに、簡単かつ迅速に装着することができる。
【００２９】
かくして、同一形態のブラケット本体２１を介在して別々のベース部材１１に別々のサイドフィニッシャ１３を固定することができる。これによりブラケット本体２１製造のための型コストを低減でき、管理工数を削減でき、誤組立を回避することができる。
【００３０】
このように本実施形態のサイドフィニッシャの取付ブラケットは、上部垂直片２２と下部垂直片２４が段部２３を介して連続する屈曲形状の前記サイドフィニッシャ１３取り付けのためのブラケット本体２１を設けて、上部垂直片２２には、サイドフィニッシャ１３の内側面に設けられたクリップ２８を係止保持する係止保持孔２５と、この係止保持孔２５を中心として前記上部垂直片２２の左右に対称形状に延設され、前記サイドフィニッシャ１３の内側面に設けられた係止部材２９を係止保持する係止突片２６、２７と、を設けた構成とした。
【００３１】
これによって、ブラケット本体２１に設けられる係止突片２６、２７が、上部垂直片２２の係止保持孔２５を中心として左右対称の形状であるため、これを左右のベース部材１１のそれぞれに使用することができる。従って、ブラケット本体２１の型コストと管理工数の低減を図ることができ、サイドフィニッシャ１３の組立作業の効率を大幅に改善できることとなる。
【００３２】
なお、前記実施の形態は、本発明を制限するものではなく、本発明は、要旨を逸脱しない範囲において種々の変形が許容される。例えば、本実施の形態では、サイドフィニッシャ１３の内側面にクリップ２８と逆Ｌ字状部材（係止部材）２９を設け、このクリップ２８と逆Ｌ字状部材２９でブラケット本体２１に係止させて取り付ける構成であるが、これはサイドフィニッシャ１３の内側面に逆Ｌ字状部材（係止部材）２９だけを設けブラケット本体２１に係止させる構成でも取り付けることができる。
【産業上の利用可能性】
【００３３】
本発明はブラケット本体の型コストと管理工数の低減を図ることができ、サイドフィニッシャ組立の作業効率を大幅に改善できるという効果を有し、ベース部材の外側に被覆されるサイドフィニッシャを装着可能にするサイドフィニッシャの取付ブラケット等に有用である。
【符号の説明】
【００３４】
１１  ベース部材
１３  サイドフィニッシャ
１４  軸取付孔
１５  リアフレーム
２０  ボルと
２１  ブラケット本体
２２  上部垂直片
２３  段部
２４  下部垂直片
２５  係止保持孔
２６、２７  係止突片
２８  クリップ（係合部材）
２９  逆Ｌ字状部材（係止部材）
【図１】
2011000895.tif 000003
【図２】
2011000895.tif 000004
【図３】
2011000895.tif 000005
【図４】
2011000895.tif 000006
【図５】
2011000895.tif 000007
【図６】
2011000895.tif 000008
【図７】
2011000895.tif 000009
【図８】
2011000895.tif 000010
【図９】
2011000895.tif 000011